【手続補正書】
【提出日】平成25年12月16日(2013.12.16)
【手続補正１】
【補正対象書類名】特許請求の範囲
【補正対象項目名】全文
【補正方法】変更
【補正の内容】
【特許請求の範囲】
【請求項１】
凹部と該凹部の内側に設けられた回転力付与部とを備えた回転可能な本体側係合部を有する電子写真画像形成装置本体に着脱可能なカートリッジにおいて、
その回転軸線が前記カートリッジの着脱方向に対して略直交するように配置された回転体と、
前記回転体を回転させるための回転力が伝達される筒形状の回転力被伝達部材と、前記カートリッジが前記装置本体に装着された状態で前記凹部の内側に進入し前記回転力を前記回転力付与部から受ける回転力受け部と、前記回転力を前記回転力被伝達部材に伝達する回転力伝達部と、を備え、前記カートリッジが前記装置本体から取り外される際に前記本体側係合部から離脱するべく前記回転力被伝達部材の回転軸線に対し傾斜移動且つ平行移動が可能なように前記回転力被伝達部材の内側に保持されるカップリング部材と、
を有することを特徴とするカートリッジ。
【請求項２】
前記カップリング部材が前記本体側係合部から前記回転力を受けている状態を基準として前記ガイド部材の回転軸線に対して傾斜せずに前記回転力被伝達部材の回転軸線に沿って前記本体側係合部から離れる方向へ平行移動可能な平行移動可能量は、前記カップリング部材が前記本体側係合部から前記回転力を受けている状態での前記回転力被伝達部材の回転軸線方向における前記カップリング部材と前記本体側係合部との重なり量より大きく構成されることを特徴とする請求項１のカートリッジ。
【請求項３】
前記カップリング部材は、前記回転力受け部をそれぞれ備えた第一突出部および第二突出部を有しており、
前記カップリング部材の回転軸線を基準として、前記第一突出部と前記第二突出部とは１８０度対称の位置にあることを特徴とする請求項１または２に記載のカートリッジ。
【請求項４】
前記第一突出部および前記第二突出部は、前記回転力被伝達部材の内側に保持される被保持部から前記カップリング部材の回転軸線方向先端側へ突出していることを特徴とする請求項３に記載のカートリッジ。
【請求項５】
前記第一突出部または前記第二突出部を前記カップリング部材の回転軸線と直交する面で切断した切断面の重心が、前記カップリング部材の回転軸線方向先端側に近づくにつれて、前記カップリング部材の回転軸線に近づくように構成されていることを特徴とする請求項３または４に記載のカートリッジ。
【請求項６】
前記カップリング部材の回転半径方向において、前記第一突出部および前記第二突出部は、前記回転力被伝達部材の内側に保持される被保持部の最外径よりも前記カップリング部材の回転軸線の近くに形成されていることを特徴とする請求項３乃至５のいずれか１つに記載のカートリッジ。
【請求項７】
前記カップリング部材は、前記第一突出部および前記第二突出部を繋ぐ繋ぎ部を有することを特徴とする請求項３乃至６のいずれか１つに記載のカートリッジ。
【請求項８】
前記カップリング部材の回転半径方向において前記第一突出部および前記第二突出部の外側に、前記カップリング部材が前記本体側係合部から離脱する際に前記凹部の縁に当接可能な当接部が設けられていることを特徴とする請求項３乃至７のいずれか１つに記載のカートリッジ。
【請求項９】
前記当接部は前記カップリング部材の回転軸線先端側に向かうにつれて前記カップリング部材の回転軸線に近づくように形成されていることを特徴とする請求項８に記載のカートリッジ。
【請求項１０】
前記当接部は曲面であることを特徴とする請求項８または９に記載のカートリッジ。
【請求項１１】
前記当接部は略球面の一部で構成されていることを特徴とする請求項１０に記載のカートリッジ。
【請求項１２】
前記回転力受け部が前記回転力付与部から前記回転力を受けている際に、前記カップリング部材の前記回転力受け部以外の部分と前記本体側係合部の前記回転力付与部以外の部分とがクリアランスを有するように、前記回転力被伝達部材が前記カップリング部材を位置決めするよう構成されることを特徴とする請求項１乃至１１のいずれかひとつに記載のカートリッジ。
【請求項１３】
前記装置本体は、前記本体側係合部を回転可能に支持する軸受部材を有し、
前記回転力受け部が前記回転力付与部から前記回転力を受けているときに、前記本体側係合部の回転軸線方向において、前記回転力受け部と前記回転力付与部との接触領域が前記軸受部材と前記本体側係合部との接触領域内に位置するように構成されることを特徴とする請求項１乃至請求項１２のいずれか一つに記載のカートリッジ。
【請求項１４】
前記回転体は感光ドラムであることを特徴とする請求項１乃至１３のいずれか１項に記載のカートリッジ。
【請求項１５】
前記回転体は現像ローラであることを特徴とする請求項１乃至１３のいずれか１項に記載のカートリッジ。
【請求項１６】
請求項１乃至１５のいずれか１項に記載のカートリッジと、
前記本体側係合部を有する前記装置本体と、を有することを特徴とする電子写真画像形成装置。
【手続補正２】
【補正対象書類名】明細書
【補正対象項目名】発明の名称
【補正方法】変更
【補正の内容】
【発明の名称】カートリッジ、及び、電子写真画像形成装置
【手続補正３】
【補正対象書類名】明細書
【補正対象項目名】０００１
【補正方法】変更
【補正の内容】
【０００１】
本発明は、カートリッジ、及び、前記カートリッジを取り外し可能に装着される電子写真画像形成装置に関する。
【手続補正４】
【補正対象書類名】明細書
【補正対象項目名】００１２
【補正方法】変更
【補正の内容】
【００１２】
前記課題を解決するための本発明は、
凹部と該凹部の内側に設けられた回転力付与部とを備えた回転可能な本体側係合部を有する電子写真画像形成装置本体に着脱可能なカートリッジにおいて、
その回転軸線が前記カートリッジの着脱方向に対して略直交するように配置された回転体と、
前記回転体を回転させるための回転力が伝達される筒形状の回転力被伝達部材と、前記カートリッジが前記装置本体に装着された状態で前記凹部の内側に進入し前記回転力を前記回転力付与部から受ける回転力受け部と、前記回転力を前記回転力被伝達部材に伝達する回転力伝達部と、を備え、前記カートリッジが前記装置本体から取り外される際に前記本体側係合部から離脱するべく前記回転力被伝達部材の回転軸線に対し傾斜移動且つ平行移動が可能なように前記回転力被伝達部材の内側に保持されるカップリング部材と、
を有することを特徴とするカートリッジである。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】変更
【補正の内容】
【００１６】
本発明によれば、像担持体に回転力を伝達するために電子写真画像形成装置本体に設けた本体側係合部を、前記装置本体の本体カバーの開閉動作によって、その回転軸線方向に移動させる機構を備えない前記装置本体に対して、前記像担持体の回転軸線と実質的に直交する所定方向に取り外し可能なカートリッジを提供することができた。また、前記カートリッジを着脱可能な電子写真画像形成装置を提供することができた。